(57)【要約】【課題】車両が盗難された場合、それを検知して車載装置に保存されている個人情報の読出しを禁止することによって個人情報の悪用を防止するとともに、その後正規の所有者に車両が戻ってきたときは、読出し禁止されている個人情報を読出し可能とする。【解決手段】盗難検出センサー２００からの信号に基づいて盗難検知部６０が車両盗難を検知した場合、ナビゲーション装置１００の外部メモリ４０に記憶されている個人情報を別メモリ４２に退避させる。これにより、車両を盗難した人は個人情報へのアクセスができなくなる。また、その後車両が正規の所有者に戻ってきたときは、パスワードを用いた認証処理を行うことにより、別メモリ４２に退避されていた個人情報を元のメモリ４１に戻す。これにより、正規の所有者は車両盗難前とかわることなく個人情報を読み出すことができる。【選択図】  図４
2005321229.tif 000002
【特許請求の範囲】
【請求項１】
車両の盗難を検知する盗難検知手段と、
個人情報を記憶する記憶手段と、
前記記憶手段により記憶されている個人情報の読出しを制御する読出し制御手段と、
前記車両の正規の所有者であるかに関しての認証処理を実行する認証手段とを備え、
前記読出し制御手段は、前記盗難検知手段が車両盗難を検知した場合に前記個人情報の読出しを不能にし、前記認証手段による認証が得られた場合に前記個人情報の読出しを可能にすることを特徴とする車載装置。
【請求項２】
前記記憶手段は、個人情報を保存する第１メモリと、
前記第１メモリに保存されている個人情報を複製保存するための第２メモリとを備え、
前記読出し制御手段は、前記第１メモリに保存されている個人情報を前記第２メモリに複製後、前記第１メモリの個人情報を消去することによって個人情報の読出しを不能にし、前記第２メモリに保存されている個人情報を前記第１メモリに複製することによって読出しを可能にすることを特徴とする請求項１に記載の車載装置。
【請求項３】
前記個人情報を前記第２メモリに複製後、当該個人情報とは別の情報を前記第１メモリに書き込むことによって前記個人情報の読出しを不能にすることを特徴とする請求項２に記載の車載装置。
【請求項４】
前記第１メモリに保存されている個人情報を画面に表示する画面表示手段を備え、
前記読出し制御手段は、前記第１メモリの個人情報画面への遷移を禁止することによって個人情報の読出しを不能にし、前記個人画面への遷移を可能にすることによって個人情報の読出しを可能にすることを特徴とする請求項１に記載の車載装置。
【請求項５】
車両の盗難を検知する盗難検知手段と、
個人情報を記憶する記憶手段と、
道路地図データを記憶する地図データ記憶手段と、
車両の現在位置を検出する位置検出手段と、
表示画面を有する表示手段と、
所定の情報を外部へ送信する送信手段と、
前記車両の正規の所有者であるかに関しての認証処理を実行する認証手段と、
前記現在位置とその周辺道路地図データ及び前記個人情報の前記表示画面における表示を制御する制御手段とを備え、
当該制御手段は、前記盗難検知手段が車両盗難を検知した場合に、前記現在位置とその周辺道路地図及び個人情報の表示を中止し、かつ前記送信手段により外部へ現在位置を送信し、前記認証手段による認証が得られた場合に、前記中止された現在位置とその周辺道路地図及び個人情報の表示を再開することを特徴とする車載装置。
【請求項６】
現在位置及び周辺地図の表示に関連して音声を出力する音声出力手段を備え、
前記制御手段は、前記現在位置及びその周辺地図の表示の中止に伴って音声出力を中止し、表示が再開されたときに、前記音声出力を再開することを特徴とする請求項５に記載の車載装置。
【請求項７】
前記認証手段は、ユーザー固有の情報を入力する入力手段と、
ユーザーによって登録された登録情報を記憶する登録情報記憶手段とを備え、
前記入力情報と前記登録情報とが所定の関係を満たしている場合に認証が得られることを特徴とする請求項１〜６のいずれか１つに記載の車載装置。
【発明の詳細な説明】
【技術分野】
【０００１】
本発明は、車載装置に関するものである。
【背景技術】
【０００２】
近年、個人情報を記憶することが可能な車載装置が知られるようになってきている。例えば、ナビゲーション装置では、一般的に、自宅や知人宅など地図上の施設の位置情報、住所、電話番号など個人情報を記憶させておくことが可能である。
【発明の開示】
【発明が解決しようとする課題】
【０００３】
しかし、このような個人情報を記憶させておくことは、車載装置の操作を便利にする一方、例えば車両が盗難された際にその個人情報を犯罪者に閲覧され悪用される危険性もある。
【０００４】
本発明は、かかる問題を鑑みてなされたものであり、車両が盗難された場合、それを検知して車載装置に保存されている個人情報の読出しを禁止することによって個人情報の悪用を防止するとともに、その後正規の所有者に車両が戻ってきたときは、読出し禁止されている個人情報を読出し可能とすることができる車載装置を提供することを目的とする。
【課題を解決するための手段】
【０００５】
請求項１に記載の車載装置は、車両の盗難を検知する盗難検知手段と、個人情報を記憶する記憶手段と、記憶手段により記憶されている個人情報の読出しを制御する読出し制御手段と、車両の正規の所有者であるかに関しての認証処理を実行する認証手段とを備え、読出し制御手段は、盗難検知手段が車両盗難を検知した場合に個人情報の読出しを不能にし、認証手段による認証が得られた場合に個人情報の読出しを可能にすることを特徴とする。
【０００６】
このように、請求項１に記載の車載装置は、車両が盗難された場合、それを検知し車載装置に保存されている個人情報の読出しを不能にする。これにより、車両が盗難されても個人情報の漏洩を防ぐことが可能となる。一方、読出し不能にされている個人情報は、車両の正規の所有者であるかに関しての認証処理を実行し、認証が得られた場合に読出し可能となる。これによって、例えば、盗難されていた車両が再度正規のユーザー戻ってきた場合、パスワード等を用いた認証を行うようにしておけば個人情報の読出しが可能となり盗難前と変わらず車載装置を利用できる。
【０００７】
請求項２に記載の車載装置では、個人情報を保存する第１メモリと、個人情報を複製保存するための第２メモリとを備え、読出し制御手段は、個人情報を第２メモリに複製後、第１メモリの個人情報を消去することによって個人情報の読出しを不能にし、第２メモリに保存されている個人情報を第１メモリに複製することによって読出しを可能にすることを特徴とする。このように、請求項２に記載の車載装置では、車両が盗難された際、個人情報を読み出そうとしても個人情報は別のメモリに退避されているため読み出されず、あたかも個人情報が車載装置に記憶されていないように思わせることにより個人情報を保護することができる。
【０００８】
また、請求項３に記載のように、読出し制御手段は、個人情報を第２メモリに複製後、当該個人情報とは別の情報を第１メモリに書き込むことよって個人情報の読出しを不能にしてもよい。これによって、車両が盗難された際、個人情報を読み出そうとしても個人情報とは別の情報が読み出され、個人情報の漏洩を防止することができる。また、例えば警察の住所等の情報に書き換えてあたかも個人情報のように思わせることによって犯人逮捕の支援を行うこともできる。
【０００９】
請求項４に記載のように、個人情報を画面に表示する画面表示手段を備え、読出し制御手段は、個人情報画面への遷移を禁止することによって個人情報の読出しを不能にし、個人情報画面への遷移を可能にすることによって個人情報の読出しを可能にしてもよい。
一方、請求項５に記載の車載装置では、車両の盗難を検知する盗難検知手段と、個人情報を記憶する記憶手段と、道路地図データを記憶する地図データ記憶手段と、車両の現在位置を検出する位置検出手段と、表示画面を有する表示手段と、所定の情報を外部へ送信する送信手段と、車両の正規の所有者であるかに関しての認証処理を実行する認証手段と、現在位置とその周辺道路地図データ及び個人情報の表示画面における表示を制御する制御手段とを備え、当該制御手段は、盗難検知手段が車両盗難を検知した場合に、現在位置とその周辺道路地図及び個人情報の表示を中止し、かつ送信手段により外部へ現在位置を送信し、認証手段による認証が得られた場合に、中止された現在位置とその周辺道路地図及び個人情報の表示を再開することを特徴とする。このように、請求項５に記載の車載装置では、車両が盗難された場合、現在位置やその周辺道路地図情報が画面に表示されないため、犯罪者には当該車載装置のナビゲーションに関する機能が動作してないと思わせることができ、一方では車両の現在位置が外部に送信されるため、盗難車両の発見あるいは犯人逮捕を支援することができる。
【００１０】
また、請求項６のように、現在位置及び周辺地図の表示に関連して音声を出力する音声出力手段を備え、制御手段は、現在位置及びその周辺地図の表示の中止に伴って音声出力を中止し、認証手段による認証が得られた場合に、音声出力を再開してもよい。これによって、例えば、音声案内機能を有するナビゲーション装置において、車両盗難時には音声案内を中止し、犯罪者にナビゲーション機能が動作していないと思わせることができる。
【００１１】
請求項７に記載の車載装置では、認証手段は、ユーザー固有の情報を入力する入力手段と、ユーザーによって登録された登録情報を記憶する登録情報記憶手段とを備え、入力情報と登録情報とが所定の関係を満たしている場合に認証が得られることを特徴とする。例えば、正規なユーザーにパスワードを予め登録させ、このパスワードと一致するパスワードがユーザーによって入力された場合に認証を得られたとすることで、正規なユーザーとそれ以外のユーザーとの識別をすることができる。
【発明を実施するための最良の形態】
【００１２】
以下、本発明の実施の形態における車載装置に関して、図面に基づいて説明する。なお、本発明の車載装置を自動車等の車両に搭載されるナビゲーション装置の一機能として実現した例について説明する。
（第１実施形態）
図１は、本実施形態に係わるナビゲーション装置１００の概略構成図である。同図に示すように、本実施形態のナビゲーション装置１００は、位置検出器１０、地図データ入力器２０、操作スイッチ群３０、外部メモリ４０、音声入出力装置５０、盗難検知部６０、表示装置８０、及びこれらと接続する制御回路７０によって構成される。
【００１３】
制御回路７０は、通常のコンピュータとして構成されており、内部には周知のＣＰＵ、ＲＯＭ、ＲＡＭ、Ｉ／Ｏ及びこれらの構成を接続するバスラインが備えられている。ＲＯＭには、ナビゲーション装置１００が実行するためのプログラムが書き込まれており、このプログラムに従ってＣＰＵ等が所定の演算処理を実行する。
【００１４】
位置検出器１０は、図示しない、いずれも周知の地磁気センサ、ジャイロスコープ、距離センサ、及び衛星からの電波に基づいて車両の位置を検出するＧＰＳ（Ｇｌｏｂａｌ  Ｐｏｓｉｔｉｏｎｉｎｇ  Ｓｙｓｔｅｍ）のためのＧＰＳ受信機を有している。これらは、各々が性質の異なる誤差を持っているため、複数のセンサにより各々補完しながら使用するように構成されている。なお、各センサの精度によっては位置検出器１０を上述した内の一部で構成してもよく、更に、図示しないステアリングの回転センサ、各転動輪の車速センサ等を用いてもよい。
【００１５】
地図データ入力器２０は、検索用データ、表示用データ等の各種の道路地図データを入力するための装置であり、制御回路７０からの要請により各種の道路地図データを送信する。これら各種の道路地図データを記憶する記憶媒体としては、そのデータ量からＣＤ−ＲＯＭやＤＶＤ−ＲＯＭ、ＨＤＤ等が用いられる。ここで、検索用データ及び表示用データについて説明する。
【００１６】
検索用データは、タウンページデータ、住所データ等によって構成される。タウンページデータは、施設名称、例えば、ホテル、駅等の施設ジャンル、電話番号、住所、座標（緯度・経度）等の各データから構成され、住所データは、行政区画名、番地、座標（緯度・経度）等の各データから構成される。
【００１７】
一方、表示用データは、地図データ、背景データ、目印データ等から構成されるもので、表示装置８０の画面に道路地図を表示されるために用いられるデータである。このうち、目印データは、地図上に表示される目印の名称、地図上に表示されるマーク（ランドマーク）、座標（緯度・経度）から構成される。
【００１８】
また、地図データは、リンクデータとノードデータによって構成される。このリンクとは、地図上の各道路を交差・分岐・合流する点等の複数のノードにて分割し、それぞれのノード間をリンクとして規定したものであり、各リンクを接続することにより道路が構成される。リンクデータは、リンクを特定する固有番号（リンクＩＤ）、リンクの長さを示すリンク長、リンクの始端及び終端ノード座標（緯度・経度）、道路名称、道路種別、道路幅員、車線数、右折・左折専用車線の有無とその専用車線の数、及び制限速度等の各データから構成される。
【００１９】
さらに、ノードデータは、地図上の各道路が交差、合流、分岐するノード毎に固有の番号を付したノードＩＤ、ノード座標、ノード名称、ノードに接続するリンクのリンクＩＤが記述される接続リンクＩＤ、交差点種類等の各データから構成される。
【００２０】
操作スイッチ群３０は、例えば、メカニカルなスイッチ等が用いられ、表示装置８０の画面に表示される道路地図のスクロール操作、個人情報等の文字入力、目的地の設定等の各種入力に使用される。
【００２１】
外部メモリ４０は、例えば、ＳＤＲＡＭやＳＲＡＭ等の記憶素子でも良いし、メモリカードやＨＤＤ等の大容量の読み書き可能な記憶媒体でも良い。この外部メモリ４０は、制御回路７０の実行結果を一時的に記憶したり、ユーザーによって登録されたメモリ地点やメモリ地点における住人名・住所・電話番号等個人情報を記憶したりする。
【００２２】
なお、本実施形態においては、個人情報を記憶しているこの外部メモリ４０の構成に特徴がある。詳細は後述する。
【００２３】
音声入出力装置５０は、図示しない入力装置及び出力装置から構成される。入力装置は、ユーザーの発話内容を認識して、ナビゲーション装置１００の各種入力に用いるものである。一方、出力装置は、スピーカやオーディオアンプ等から構成されるもので、音声案内等に用いられる。
【００２４】
盗難検知部６０は、車両が盗難された場合に、盗難検出センサー２００からの検知信号に基づいて、車両の盗難の発生の有無を判定し、盗難発生と判定したときに、個人情報を保護するために制御回路７０に盗難起こったことを伝える。そして、制御回路７０は所定の処理を実行し、個人情報の漏洩を防ぐ。なお、当該所定の処理の詳細については後述する。
【００２５】
また、盗難検出センサー２００は、車両の盗難が発生したと思われる行為が車両になされたことを検知するセンサーであり、例えば、キーシリンダへの鍵を差し込みを検知するセンサーや、窓ガラスが割られたときの音や振動を検知するセンサー、レッカー移動等されたときの車両の傾きを検知するセンサーなどからなる。
【００２６】
表示装置８０は、例えば液晶ディスプレイによって構成され、表示装置８０の画面には、ナビゲーション装置１００の位置検出器１０から入力された車両の現在位置に対応する自車位置マークと、ナビゲーション装置１００の地図データ入力器２０より入力された表示用データによって生成される車両周辺の地図を表示することができる。また、外部メモリ４０に記憶されているメモリ地点の個人情報等も表示装置８０で表示することができる。
【００２７】
次に上述したナビゲーション装置１００において、車両が盗難された場合に、当該装置に記憶されている個人情報を犯罪者から保護するための処理について述べる。
【００２８】
最初に、本実施形態における外部メモリ構成について説明する。
【００２９】
図２は、本実施形態における外部メモリ４０の構成図である。同図に示すように、外部メモリは、個人情報を記憶する個人情報メモリ４１と、車両が盗難された場合に個人情報を一時退避する個人情報退避用メモリ４２及び個人情報以外のデータを記憶するその他データメモリ４３から構成される。
【００３０】
したがって、通常の使用状態においては、知人宅などについての名前、住所、電話番号等個人情報をナビゲーション装置１００へ記憶させるときは、その個人情報は個人情報メモリ４１へ書き込まれる。そして、その個人情報は、制御回路７０の読出し命令に基づいて個人情報メモリ４１から読み出され、表示装置８０に表示させることができる。すなわち、個人情報メモリ４１に記憶されている個人情報は制御回路７０によって自由にアクセス可能である。
【００３１】
一方、個人情報退避用メモリ４２は、車両が盗難された場合、個人情報メモリ４１に記憶されている個人情報を、制御回路７０の命令に従って、一時保存するためのメモリである。すなわち、個人情報を個人情報退避用メモリ４２へ一時記憶させ、個人情報記憶メモリ４１の個人情報を消去させれば、個人情報を読み出そうとしても、制御回路７０は個人情報メモリ４１にアクセスするため、表面上は個人情報が記憶されていないと思わせることができるのである。
【００３２】
また、その他データメモリ４３には、例えば個人情報以外の音声データや画像データ等が記憶される。
【００３３】
以下、図３のフローチャートを用いて、車両が盗難された場合の個人情報を保護する処理ついて説明する。
【００３４】
図３のステップＳ１０では、車両盗難が発生したか否かを判定する。すなわち、ナビゲーション装置１００の盗難検知部６０は、車両に備えられた盗難検出センサー２００からの検知信号に基づいて車両盗難が発生したか否かを判定する。例えば、盗難検出センサー２００としては、キーシリンダへの鍵を差し込みを検知するセンサーや、窓ガラスが割られたときの音や振動を検知するセンサー、レッカー移動等されたときの車両の傾きを検知するセンサーなどからなる。ここで、否定判定される場合、つまり車両盗難が発生していないと判定される場合は、ナビゲーション装置１００の個人情報は今まで通りに制限を受けずに読み出すことができる。
【００３５】
一方、肯定判定される場合、つまり車両盗難が発生したと判定される場合は、ステップＳ１１へ処理を進める。
【００３６】
ステップＳ１１では、ナビゲーション装置１００の外部メモリ４０の個人情報メモリ４１に記憶されている個人情報を個人情報退避用メモリ４２へ移動させる処理を行う。このときの外部メモリ４０と制御回路７０及び表示装置８０の構成図を図４に示す。同図に示すように、車両盗難される前まで個人情報が記憶されていた個人情報メモリ４１は、何も記憶されていない空メモリとなり、代わりに個人情報退避用メモリ４２に個人情報が記憶されている。したがって、制御回路７０から個人情報の読出し命令があっても、個人情報メモリ４１の空情報を読み出すことになり、表示装置８０には当然個人情報は表示されない。したがって、車両を盗難した人が当該ナビゲーション装置１００の個人情報を読み出そうとしても、あたかも個人情報が記憶されていないかのように思わせることができ、これにより個人情報を守ることができるのである。
【００３７】
また、例えば、車両を盗難した人が、一般的に個人情報がどこのメモリに記憶されているか知っている場合であって、表示装置を介さずにそのメモリに直接アクセスして個人情報を盗む場合であっても、上述したように個人情報を別メモリに退避させておけば安全である。同様な効果として、盗難を検知した際に、外部メモリ４１の内容を暗号化しても良い。
【００３８】
次に、上述のステップＳ１１でナビゲーション装置１００に記憶されている個人情報が別のメモリに移されている状態であって、再度正規のユーザーに車両が戻ってきたときに、その正規のユーザーが当該個人情報に車両盗難前のように自由にアクセスするための認証処理を図５に示す。
【００３９】
ステップ１３では、アクセス禁止にされている個人情報をアクセス可とするためのパスワードの入力を行う。このパスワード入力を開始するためには、ナビゲーション装置１００にパスワード入力開始スイッチを備えることによってパスワード入力画面に切り替えることが考えられる。また、例えば、キーシリンダへ鍵を差込んだ状態でないとパスワード入力開始ができないようにしてもよい。これにより、キーシリンダへ鍵を差し込まれない（エンジンの異常始動）で車両が盗難された場合に、たとえ車両を盗難した人が当該パスワードを知っていたとしても個人情報にはアクセスできないのである。ここで、肯定判定される場合、つまりパスワード入力があった場合はステップＳ１４の処理に進む。一方、否定判定される場合、つまりパスワード入力が無い場合は、依然個人情報はアクセス禁止状態である。
【００４０】
ステップＳ１４では、ステップＳ１３でパスワード入力があった場合に、その入力したパスワードが予めナビゲーション装置１００に登録されているパスワードと一致するか否か比較し正規ユーザーか否かの認証処理を行う。ここで、否定判定される場合、つまり入力したパスワードが予めナビゲーション装置１００に登録されているパスワードと一致しなかった場合は、車両盗難状態が依然続いており正規のユーザーに車両が戻ってきていないと判断して、別メモリに移された個人情報を元のメモリに戻す処理は行わずに、個人情報は依然アクセス禁止のままの状態となる。
【００４１】
一方、肯定判定される場合、つまり入力したパスワードが予めナビゲーション装置１００に登録されているパスワードと一致した場合は、車両が正規のユーザーに戻ったと判断して、ステップＳ１５へ処理を進める。
【００４２】
なお、本実施形態では、パスワードを用いた認証処理を示しているが、正規のユーザーのアイデンティティに関する情報を用いた認証（例えば、電子指紋等による認証）等正規のユーザーを特定する認証であれば何でもよい。
【００４３】
ステップＳ１５では、図４において別メモリに退避されている個人情報を元の個人情報メモリ４１へ戻す処理を行う。これにより、例えば車両が盗難されて再度正規のユーザーに車両が戻ってきた場合には、車両が盗難される前と同様に当該ナビゲーション装置の個人情報を読み書きできるのである。もし、外部メモリ４１の内容を暗号化した場合では復号化処理となる。
（第２実施形態）
次に、本発明の第２実施形態について説明する。本実施形態においても、ナビゲーション装置の各部の構成は第１実施形態と同様である（図１）。
【００４４】
図６は、本実施形態における外部メモリ４０の構成図である。基本的には、第１実施形態と同様の構成になっているが、本実施形態は、個人情報書換えデータを保有している。当該データは、車両が盗難された際、個人情報に代えて個人情報メモリ４１に記憶されるデータであり、他人に閲覧されても害がないものである。例えば、実際に存在しないまったくデタラメな情報に書換え、車両を盗難した人が個人情報にアクセスしようとしたときには、あたかも個人情報であるかのように思わせることができ、かつ本物の個人情報を保護することができる。また、例えば、個人情報に代えて警察署等の住所、電話番号データを個人情報メモリ４２へ書き込むことにより、車両を盗難した人がその警察署等のデータを個人情報と勘違いし、警察署等へ電話をし、またそこへ行こうとして警察署等に近づくことにより、車両を盗難した人の逮捕を支援することもできる。
【００４５】
図７は、本実施形態における、車両が盗難された場合に個人情報を保護するための処理のフローチャートである。基本的には第１実施形態における処理のフローチャートと同じであるが、ステップＳ２１で個人情報を別メモリに移動させた後、ステップＳ２２で元のメモリに別の情報を書き込んでいる。これにより、車両が盗難されても盗難した人が当該ナビゲーション装置１００の個人情報にアクセスしようとした場合、制御回路７０は、個人情報メモリ４１に記憶されている個人情報とは別の情報を読出し、表示装置８０に表示する（図８）。
【００４６】
上記の状態で、車両が正規のユーザーに戻ってきた場合の当該個人情報へのアクセスを許可する処理については、第１実施形態と同様である（図５）。
【００４７】
（第３実施形態）
次に、本発明の第３実施形態について説明する。本実施形態においても、ナビゲーション装置の各部の構成は第１実施形態と同様である（図１）。
【００４８】
図９は、本実施形態における外部メモリ４０の構成図である。同図に示すように、本実施形態では、第１、第２実施形態のような個人情報を一時退避させるためのメモリ（個人情報退避用メモリ４２）を有していなくてもよく、一般的なメモリ構成となっている。
【００４９】
図１０、１１に本実施形態における、車両盗難が起こった場合の個人情報を保護する処理のフローチャートを示す。
【００５０】
図１０のステップＳ３０では、第１、第２実施形態と同様に車両盗難が発生したか否かを判定する。ここで、否定判定される場合、つまり車両盗難が発生していないと判定される場合は、これまで通りにナビゲーション装置１００に記憶されている個人情報はアクセス可能となる。
【００５１】
一方、肯定判定される場合、つまり車両盗難が発生したと判定される場合は、ステップＳ３１の処理へ進む。
【００５２】
ステップＳ３１では、ステップＳ３０の肯定判定を受けて、制御回路７０の制御プログラムを記憶するメモリ（例えばフラッシュメモリ）の特定のアドレスに盗難発生フラグの書き込み処理（盗難発生フラグ＝１）を行う。
【００５３】
そして、本実施形態において、ナビゲーション装置１００に記憶されている個人情報にアクセスしようとした場合（図１１  ステップＳ３２）、上記の盗難発生フラグの有無をチェックするステップＳ３３の処理に進む。ここで、否定判定される場合、つまり盗難発生フラグが書き込まれていない場合は（盗難発生フラグ＝０）、正規のユーザーからのアクセスであると判断して、個人情報へのアクセスを許可する（ステップＳ３５）。
【００５４】
一方、肯定判定される場合、つまり盗難発生フラグが書き込まれている場合は（盗難発生フラグ＝１）、車両が盗難されて正規のユーザーからのアクセスではないと判断し、個人情報へのアクセスを禁止する（ステップＳ３４、図１２）。
【００５５】
その後、車両が正規のユーザーに戻ってきた場合は、第１、第２実施形態のときと同様にパスワードを用いた認証処理を行う（図１３）。ステップＳ３６、Ｓ３７の処理は第１、第２実施形態のときと同様なので説明は省略するが、ステップＳ３８では、ステップＳ３７でパスワードの認証が得られた場合に盗難発生フラグを消去（盗難発生フラグ＝０）する処理を行う。これにより、正規のユーザーが個人情報にアクセスする場合は、図１１の処理を行うことにより個人情報へのアクセスが許可されるのである。
【００５６】
なお、本実施形態では、個人情報を第３者から保護するという観点から、個人情報以外の情報へのアクセスや機能の利用は、車両が盗難された場合であっても制限されていない。
【００５７】
（第４実施形態）
以下、本発明の第４実施形態について説明する。
【００５８】
図１４は、本実施形態に係わるナビゲーション装置１０１の概略構成図である。基本的には、第１実施形態のそれ（図１）と同じであるが、本実施形態では、警備会社等の所定の外部機関や車両所有者の情報機器に車両の現在地を含む所定の情報を送信する通信手段９０を有している。例えば、車両が盗難された場合に、正規の所有者の携帯電話等に、盗難がされたということを知らせる情報や位置検出器で検出された車両の現在位置等の情報を送信することができる。これにより、盗難車両をいち早く発見し、さらに犯人逮捕を支援することができる。  
【００５９】
以下、図１０、図１３、図１５のフローチャートを用いて、本実施形態における個人情報を保護するための処理について説明する。
【００６０】
本実施形態では、上述した第３実施形態と同様に、盗難が発生した場合に制御回路７０の制御プログラムを記憶するメモリ（例えばフラッシュメモリ）の特定のアドレスに盗難発生フラグの書き込み処理（盗難発生フラグ＝１）を行っている（図１０）。
【００６１】
図１５に示すように、ナビゲーション装置１０１は、盗難発生フラグの有無をチェックし（ステップＳ４２）、盗難発生フラグが書き込まれていない場合は、車両の現在位置やその周辺道路地図及び個人情報を表示する機能（ナビゲーション機能）の利用が可能な状態とする（ステップＳ４４）。
【００６２】
一方、盗難発生フラグが書き込まれている場合は（盗難発生フラグ＝１）、車両が盗難されたと判断し、当該ナビゲーション機能が利用不可とされる（ステップＳ４３）。これにより、ナビゲーション装置１０１は、みかけ上、非動作中と同等の状態（例えば画面は黒一色）となる。なお、この場合、車両を盗難した人が、当該ナビゲーション装置１０１を用いて、どこか目的地を設定し車両の現在位置やその周辺道路地図及び個人情報を画面に表示又は目的地までの音声案内をさせようとして電源スイッチを投入しても、ナビゲーション装置１０１を利用できないのである。これにより、車両を盗難した人に、当該ナビゲーション装置のナビゲーション機能が表面上は動作していないと思い込ませることができる。その一方で、当該装置の内部では位置検出器１０の検出信号から現在位置を算出し、車両の現在位置や車両が盗難されたことを知らせる情報等を例えば正規の所有者の携帯電話機等に通信手段９０を用いて送信する（ステップＳ４５）。これにより、個人情報の保護を図りつつ、さらに盗難車両の早期発見や犯人逮捕の支援をすることができる。
【００６３】
なお、本実施形態では、当該装置のナビゲーションに関する機能を表面上動作不能にしているのであり、もしその他の機能（例えばラジオ選局やエアコンの温度設定等）を有しているナビゲーション装置であるのであれば、当該機能は自由に使えるようにすることもできる。
【００６４】
その後、車両が正規のユーザーに戻ってきた場合は、第３実施形態のときと同様に、パスワードによる認証が得られた場合に盗難発生フラグを消去する（図１３）。これにより、正規のユーザーがナビゲーション装置１０１のナビゲーション機能を利用しようとする場合は、図１５の処理を行うことにより車両盗難前と変わらず当該ナビゲーション機能を利用することができるのである。
【図面の簡単な説明】
【００６５】
【図１】第１実施形態に係わる、ナビゲーション装置１００の概略構成を示すブロック図である。
【図２】第１実施形態に係わる、外部メモリ４０の概略構成図である。
【図３】第１実施形態に係わる、車両盗難発生した場合の個人情報を保護するための処理を示すフローチャートである。
【図４】第１実施形態に係わる、車両盗難発生後の外部メモリ４０の記憶状態とそこにアクセスしたときの状況を示すブロック図である。
【図５】第１実施形態に係わる、パスワードによる認証処理を示すフローチャートである。
【図６】第２実施形態に係わる、外部メモリ４０の概略構成図である。
【図７】第２実施形態に係わる、車両盗難発生した場合の個人情報を保護するための処理を示すフローチャートである。
【図８】第２実施形態に係わる、車両盗難発生後の外部メモリ４０の記憶状態とそこにアクセスしたときの状況を示すブロック図である。
【図９】第３実施形態に係わる、外部メモリ４０の概略構成図である。
【図１０】第３実施形態に係わる、盗難発生した場合における盗難発生フラグの書込み処理を示すフローチャートである。
【図１１】第３実施形態に係わる、個人情報にアクセス要求したときの処理を示すフローチャートである。
【図１２】第３実施形態に係わる、車両盗難発生後の外部メモリ４０の記憶状態とそこにアクセスしようとしたときの状況を示すブロック図である。
【図１３】第３実施形態に係わる、パスワードによる認証処理を示すフローチャートである。
【図１４】第４実施形態に係わる、ナビゲーション装置１０１の概略構成を示すブロック図である。
【図１５】第４実施形態に係わる、車両盗難発生した場合の個人情報を保護するための処理を示すフローチャートである。
【符号の説明】
【００６６】
１００  第１〜第３実施形態に係わるナビゲーション装置
１０    位置検出器  
２０    地図データ入力器
３０    操作スイッチ群
４０    外部メモリ
４１    個人情報メモリ
４２    個人情報退避用メモリ
４３    その他データメモリ
５０    音声入出力装置
６０    盗難検知部
７０    制御回路
８０    表示装置
９０    外部との通信手段
２００  盗難検出センサー
【図１】
2005321229.tif 000003
【図２】
2005321229.tif 000004
【図３】
2005321229.tif 000005
【図４】
2005321229.tif 000006
【図５】
2005321229.tif 000007
【図６】
2005321229.tif 000008
【図７】
2005321229.tif 000009
【図８】
2005321229.tif 000010
【図９】
2005321229.tif 000011
【図１０】
2005321229.tif 000012
【図１１】
2005321229.tif 000013
【図１２】
2005321229.tif 000014
【図１３】
2005321229.tif 000015
【図１４】
2005321229.tif 000016
【図１５】
2005321229.tif 000017